【手続補正書】
【提出日】平成21年1月27日(2009.1.27)
【手続補正１】
【補正対象書類名】特許請求の範囲
【補正対象項目名】全文
【補正方法】変更
【補正の内容】
【特許請求の範囲】
【請求項１】
ＤＭＴ変調を使用するマルチユーザベクトル化ＤＳＬシステム内での転送のために、データをプリコーディングする方法であって、
エンコーディングされたデータをプリコーダ入力に提供するステップと、
プリコーディングされたデータを生成するために、ユーザ可変フィードバックフィルタを適用することによって前記エンコーディングされたデータをプリコーディングするステップと、
前記プリコーディングされたデータをプリコーダ出力において提供するステップとを含む方法。
【請求項２】
前記エンコーディングされたデータをプリコーディングするステップは、前記プリコーディングされたデータを生成するために、行列フィルタを適用するステップをさらに含む、
請求項１に記載の方法。
【請求項３】
前記ユーザ可変フィードバックフィルタおよび前記行列フィルタのうちの少なくとも１つは、前記ＤＳＬシステム内の変化を考慮に入れるために動的に更新される、請求項２に記載の方法。
【請求項４】
前記エンコーディングされたデータをプリコーディングするステップは、
前記プリコーディングされたデータを生成するために、モジュロ演算を実行するステップをさらに含み、
前記ユーザ可変フィルタ、前記行列フィルタおよび前記モジュロ演算のうちの少なくとも１つは、前記ＤＳＬシステム内の変化を考慮に入れるために動的に更新される、請求項２に記載の方法。
【請求項５】
前記エンコーディングされたデータをプリコーディングするステップは、
プリコーディングされたデータを生成するために、ディザ信号を適用するステップをさらに含み、
前記ユーザ可変フィルタ、前記行列フィルタ、および前記ディザ信号のうちの少なくとも１つは、前記ＤＳＬシステム内の変化を考慮に入れるために動的に更新される、請求項２に記載の方法。
【請求項６】
前記ユーザ可変フィードバックフィルタは信号電力対クロストーク電力の比が、電力比しきい値を超過する場合のみ適用される、請求項２に記載の方法。
【請求項７】
前記モジュロ演算は、前記プリコーディングされたデータの転送電力の低減、または前記プリコーディングされたデータの転送電力の最小化のうちの少なくとも１つに基づいて適用される、請求項４に記載の方法。
【請求項８】
前記ベクトル化ＤＳＬシステム内の複数の回線上のデータを、それらがプリコーディングされるであろう順序について、順序付けするステップをさらに含み、前記順序付けするステップは、
最初に、減算単独のプリコーディングも、ｍｏｄが有効化されたプリコーディングも使用しないレシーバ行きのデータをプリコーディングするステップと、
次に、減算単独のプリコーディングを使用するレシーバ行きのデータをプリコーディングするステップと、
次に、ｍｏｄが有効化されたプリコーディングを使用するレシーバ行きのデータをプリコーディングするステップとが行われるように選択される、請求項５に記載の方法。
【請求項９】
マルチユーザトランスミッタとシングルユーザレシーバとを含むマルチユーザベクトル化ＤＳＬシステムにおいてデータを転送する方法であって、
エンコーディングされたデータを、前記トランスミッタ内のプリコーダ入力に提供するステップと、
プリコーディングされたデータを生成するために、ユーザ可変フィードバックフィルタを適用することによって、前記エンコーディングされたデータをプリコーディングするステップと、
前記プリコーディングされたデータをプリコーダ出力において提供するステップと、
前記プリコーディングされたデータを前記レシーバに、チャネルを経由して転送するステップであって、前記プリコーディングされたデータは、前記レシーバによって受信データとして受信されるステップと、
前記受信データをデコーディングするステップとを含む、方法。
【請求項１０】
プリコーディングされたデータを生成するために、前記エンコーディングされたデータをプリコーディングするステップは、
ラップされたデータを生成するために、トランスミッタモジュロ演算を実行するステップと、
処理されたデータを生成するために、前記ラップされたデータに行列フィルタを適用するステップとをさらに含み、
さらに、前記ユーザ可変フィードバックフィルタ、前記行列フィルタ、および前記モジュロ演算のうちの少なくとも１つは、前記ＤＳＬシステム内の変化を考慮に入れるために動的に更新される、請求項９に記載の方法。
【請求項１１】
前記ユーザ可変フィードバックフィルタは、信号電力対クロストーク電力の比が、電力比しきい値を超過する場合のみ適用される、請求項９に記載の方法。
【請求項１２】
前記トランスミッタモジュロ演算は、前記プリコーディングされたデータの転送電力の低減または最小化に基づいたテンプレートを使用し、
さらに、レシーバモジュロ演算は、前記レシーバ内での検出中の、検出コンステレーションｄｍｉｎの最大化に基づいたテンプレートを使用する、請求項１０に記載の方法。
【請求項１３】
プリコーディングされたデータを生成するために、前記エンコーディングされたデータをプリコーディングするステップは、前記トランスミッタモジュロ演算を実行する前にディザ信号を追加するステップをさらに含み、
さらに、前記ディザ信号は、前記レシーバ内で、レシーバモジュロ演算を実行する前に除去される、請求項１０に記載の方法。
【請求項１４】
ＤＭＴ変調を使用するマルチユーザベクトル化ＤＳＬシステムのための、調節可能トーナルプリコーダであって、
入力と出力とを有する乗算ユニットを含み、
前記乗算ユニットは、前記乗算ユニット入力において提供されたデータ信号にマルチユーザ行列フィルタを適用して、前記乗算ユニット出力において、プリコーディングされたデータ信号を生成するように構成され、
前記プリコーダは、プリコーディングされたデータに関する電力制限、または、プリコーディングされたデータに影響するチャネルおよびノイズ特性の変化のうちの少なくとも１つを考慮に入れるために調節可能であるトーナルプリコーダ。
【請求項１５】
前記調節可能プリコーダに結合されたコントローラが、前記マルチユーザ行列フィルタを更新する、請求項１４に記載のトーナルプリコーダ。
【請求項１６】
前記乗算ユニット入力に結合された出力を有する、減算ユニットをさらに含み、
前記減算ユニットは、前記減算ユニットの入力におけるエンコーディングされたデータ信号にマルチユーザ可変フィードバックフィルタを適用して、前記減算ユニット出力において、フィルタリングされたデータ信号を生成するように構成され、
前記調節可能プリコーダに結合されたコントローラが、前記マルチユーザ可変フィードバックフィルタを更新する、請求項１４に記載のトーナルプリコーダ。
【請求項１７】
前記エンコーディングされたデータ信号への前記マルチユーザ可変フィードバックフィルタの適用によって電力条件が違反される場合、前記コントローラは前記減算ユニットを無効にする、請求項１６に記載のトーナルプリコーダ。
【請求項１８】
前記減算ユニットに結合された入力を有するｍｏｄオペレータをさらに含み、前記ｍｏｄオペレータは、転送電力を低減するため、およびラップされたデータ信号をｍｏｄオペレータ出力において生成するために、前記フィルタリングされたデータ信号にモジュロ演算を適用するように構成される、請求項１６に記載のトーナルプリコーダ。
【請求項１９】
前記減算ユニットと前記ｍｏｄオペレータとの間に結合されたディザ信号発生器をさらに含み、前記ディザ信号発生器は、前記ｍｏｄオペレータによるモジュロ演算の適用の前に、前記フィルタリングされたデータ信号内にディザ信号を挿入するように構成される、請求項１８に記載のトーナルプリコーダ。